(57)【要約】【課題】ドアの開閉によって生ずるドア回転軌跡を小さくする一方ドア開口面積は十分に確保できるようにする。【解決手段】ドア開口部を垂直方向に二分割して、その一部を閉塞する役目を果たすとともに一端側が回転支持されるスイング式のメインドア１と、開口部の残りの部分を閉塞する役目を果たすものであって水平方向にスライド移動が可能なように設けられるとともに上記メインドア１の回転支持側とは反対の側の端面と係合可能なように設けられるスライド式のサブドア２と、からなる。サブドア２は、その一端部側に、メインドア１に設けられた凹部１５と係合する凸部２１が設けられるようになっている。これら凸部２１と凹部１５との係合作用によって本ドア装置の閉鎖が行われる。【選択図】        図１
2004332444.tif 000002
【特許請求の範囲】
【請求項１】
住宅用ドアにおいて、ドア開口部を垂直方向に分割して、その一部を閉塞する役目を果たすとともに一端側が回転支持されるスイング式の一方のドアと、上記開口部の残りの部分を閉塞する役目を果たすものであって水平方向にスライド移動が可能なように設けられるとともに上記一方のドアの回転支持側と対向する側の端面と係合可能なように設けられるスライド式のもう一方のドアと、からなることを特徴とする住宅用ドア。
【請求項２】
請求項１記載の住宅用ドアにおいて、上記もう一方のドアと重なり合う位置に設けられるものであって、上記もう一方のドアとは独立して水平方向にスライド移動が可能なように設けられるとともに上記一方のドアの回転支持側と反対の側の端面と係合可能なように設けられるスライド式の網戸を有するようにしたことを特徴とする住宅用ドア。
【請求項３】
請求項１または請求項２記載の住宅用ドアにおいて、上記スライド式の網戸を、必要に応じてもう一方のドアのスライド運動に連動させることのができるようにしたことを特徴とする住宅用ドア。
【請求項４】
請求項１ないし請求項３記載の住宅用ドアにおいて、上記一方のドアを回転駆動するための一方側のドア駆動機構と、上記もう一方のドアをスライド駆動するためのもう一方側のドア駆動機構と、上記各ドアをロックするためのドアロック機構の施錠および解錠を行なうドアロック駆動機構と、を設けるようにしたことを特徴とする住宅用ドア。
【請求項５】
住宅用ドアにおいて、ドア開口部を垂直方向に分割して、その一部を閉塞する役目を果たすとともに一端側が回転支持されるスイング式の一方のドアと、上記開口部の残りの部分を閉塞する役目を果たすものであって上記スイング式の一方のドア内に収納されるように形成されるとともに、一方の端面が本ドア開口部を形成する壁部の一部に係合するように形成されたスライド式のもう一方のドアと、からなることを特徴とする住宅用ドア。
【発明の詳細な説明】
【０００１】
【発明の属する技術分野】
本発明は、住宅用ドアに関するものであり、特に、上記ドアをスイングドア機構からなる一方のドアと、スライドドア機構からなるもう一方のドアとにて形成させるようにした住宅用ドアに関するものである。
【０００２】
【従来の技術】
一般に、住宅用ドア、特に、玄関等に設けられるドアは、例えば特開平１１−２００７２４号公報記載のものの如く、ドア開口部を一枚の部材で覆い、左右いずれかの端部側を回転可能なように支持するスイングドアが主力となっているものである。
【０００３】
【特許文献１】
特開平１１−２００７２４号公報
【０００４】
【発明が解決しようとする課題】
ところで、上記従来のものにおいては、ドアの開口部を大きく採る必要がある場合、ドアそのものを大きくする必要があり、ドアの重量が増加して開閉操作が重くなると言う問題点がある。また、ドアの回転軌跡が大きくなるため、周囲のスペースを多く採る必要があると言う問題点がある。このような問題点を解決するために、ドア開口部を垂直方向に分割して、スイングドア方式の一方のドアと、スライドドア方式のもう一方のドアとの組合せからなるようにし、これによって、開口面積を広く採ることができるようにするとともに、スイングドアの回転軌跡によって生ずる周囲のスペースをあまり多くは採ることのないようにした住宅用ドアを提供しようとするのが、本発明の目的（課題）である。
【０００５】
【課題を解決するための手段】
上記課題を解決するために、本発明においては次のような手段を講ずることとした。すなわち、請求項１記載の発明においては、住宅用ドアに関して、ドア開口部を垂直方向に分割してその一部を閉塞する役目を果たすとともに一端側が回転支持されるスイング式の一方のドアと、上記開口部の残りの部分を閉塞する役目を果たすものであって水平方向にスライド移動可能なように設けられるとともに、上記一方のドアの回転支持側と対向する側の端面と係合可能なように設けられるスライド式のもう一方のドアと、からなるようにした構成を採ることとした。
【０００６】
このような構成を採ることにより、本発明のものにおいては、ドア全体の開口面積（幅）に対して、スイングドア方式の一方のドアの開口面積を小さくすることができるようになり、一方のドアの回転軌跡を小さくすることができるようになる。従って、本ドア装置周りの必要スペースを少なくすることができるようになる。
【０００７】
次に、請求項２記載の発明について説明する。このものも、その基本的な点は上記請求項１記載のものと同じである。すなわち、本発明においては、請求項１記載の住宅用ドアに関して、上記もう一方のドアと重なり合う位置に設けられるものであって、上記もう一方のドアとは独立して水平方向にスライド移動が可能なように設けられるとともに、上記一方のドアの回転支持側と反対の側の端面と係合可能なように設けられるスライド式の網戸を有するようにした構成を採ることとした。このような構成を採ることにより、本発明のものにおいては、一方のドアを閉めた状態で、もう一方のドアと平行に設けられる網戸を閉めておくとともに、もう一方のドアを開けた状態で本ドア装置全体はロックさせた状態にしておくことができるようになる。これによって、本ドア装置全体としてはロックさせた状態でその一部を開けて室内の換気等を行なうことができるようになる。
【０００８】
次に、請求項３記載の発明について説明する。このものも、その基本的な点は上記請求項１または請求項２記載のものと同じである。すなわち、本発明においては、請求項１または請求項２記載の住宅用ドアに関して、上記スライド式の網戸を、必要に応じて上記もう一方のドアのスライド運動に連動させることができるようにした。このような構成を採ることにより、本発明のものにおいては、もう一方のドアの開閉に合わせて網戸の開閉も同時に行なうことができるようになり、ドア開閉の際における操作性の向上を図ることができるようになる。
【０００９】
次に、請求項４記載の発明について説明する。このものも、その基本的な点は上記請求項１ないし請求項３記載のものと同じである。すなわち、本発明においては、請求項１ないし請求項３記載の住宅用ドアに関して、上記一方のドアを回転駆動するための一方側のドア駆動機構と、上記もう一方のドアをスライド駆動するためのもう一方側のドア駆動機構と、上記各ドアをロックするためのドアロック機構の施錠または解錠を行なうドアロック駆動機構と、を設けるようにした構成を採ることとした。このような構成を採ることにより、本発明のものにおいては、一方のドア及びもう一方のドアの開閉操作、あるいはドアロックの施錠及び解錠を自動的に行うことができるようになり、出入りの際等における操作性の向上を図ることができるようになる。
【００１０】
次に、請求項５記載の発明について説明する。このものの特徴とするところは、スライド式ドアをスイング式ドア内へ収納することができるようにしたことである。すなわち、本発明においては、住宅用ドアに関して、ドア開口部を垂直方向に分割して、その一部を閉塞する役目を果たすとともに一端側が回転支持されるスイング式の一方のドアと、上記開口部の残りの部分を閉塞する役目を果たすものであって上記スイング式の一方のドア内に収納されるように形成されるとともに、一方の端面が本ドア開口部を形成する壁部の一部に係合するように形成されたスライド式のもう一方のドアと、からなるようにした構成を採ることとした。
【００１１】
このような構成を採ることにより、本発明のものにおいては、もう一方のドアであるスライド式ドアを、一方のドアであるスイング式ドア内に収納させた状態において、例えば玄関口等を半分解放させた状態にすることができるようになる。すなわち、スイング式ドアを閉じた状態の固定した状態のままで、玄関口等からの人の出入等が可能なようになる。また、スライド式のもう一方のドアを収納するための戸袋機構等を、開口部周りの壁部等に設ける必要が無くなり、ドア開口部周りの壁部等に、余分なスペースを確保する必要がなくなる。これらによって、本ドア取付部周りにおける構造が簡略化され、ドア取付部周りの製造コストの低減化を図ることができるようになる。
【００１２】
【発明の実施の形態】
本発明の実施の形態について、図１ないし図７を基に説明する。本実施の形態にかかるものの、その第一の実施の形態に関するものは、図１に示す如く、住宅９の玄関等に設けられるドア装置に関するものであり、開口部を垂直方向に二分割するとともにその一部を開閉する役目を果たす一方のドアであるメインドア１と、残りの開口部を開閉する役目を果たすもう一方のドアを形成するサブドア２と、からなることを基本とするものである。そして、これら各ドア１、２間にはドアロック機構６が設けられるようになっているものである。
【００１３】
このような構成からなるものにおいて、上記メインドア１は、スイングドア方式からなるものであり、その適宜箇所には窓１２が設けられるようになっている。また、その一端側がヒンジ機構１１を介して壁９１に回転自在なように取付けられるようになっているものである（図２参照）。すなわち、本メインドア１は、上記ヒンジ機構１１を形成する回転中心（Ｏ１）を支点にして、上記壁９１に回転支持されるようになっているものである。また、本実施の形態のものにおけるメインドア１は、図２に示す如く、その幅が本ドア装置全体の開口部の幅Ｗよりも狭く設定されているため、メインドア１の回転半径Ｒは比較的小さな値の開閉軌跡（ドア回転軌跡）を形成することとなる。従って、本ドア装置における開閉に必要なスペースを小さくすることができるようになる。また、本メインドア１のヒンジ機構１１が設けられる側とは反対の側の端部には、後に述べるサブドア２の一端側と係合する凹部１５が設けられるようになっている。また、このようなメインドア１のところには、図１に示す如く、ドアのスイング運動を自動的に行なわせるようにするメインドア駆動機構３が設けられるようになっている。このメインドア駆動機構３は、油圧または空気圧などの流体圧にて作動する流体圧アクチュエータにて、あるいは電動モータを主に形成される電動アクチュエータ等にて作動するようになっているものである。
【００１４】
次に、サブドア２は、水平方向に操作力を加えることによりスライド運動（移動）をすることができるスライドドア機構からなるものである。そして、このようなサブドア２は、本サブドアを完全に開けた状態においては、壁９１に設けられた収納部９２内に収納されるようになっているものである（図２参照）。また、このようなサブドア２の一端側には、メインドア１に設けられた凹部１５に差し込まれて係合する凸部２１、及びシール２３が設けられるようになっているものである。これによって、メインドア１との間においてシール性が確保されるようになる。なお、このような係合機構を形成する凸部２１及び凹部１５は、本実施の形態のものに限定されるものではなく、図２ないし図５に記載されるものとは逆に、メインドア１側に凸部を形成させ、サブドア２側に凹部を形成させるようにしても良い。同様に、シール２３についてもメインドア１側に設けられるようにしても良い。このような構成からなるものにおいて、上記サブドア２をスライド駆動することができるサブドア駆動機構５が、当該サブドア２の周りに設けられるようになっている（図１参照）。このサブドア駆動機構５も、上記メインドア駆動機構３と同様、油圧あるいは空気圧等の流体圧にて作動する流体圧アクチュエータ、あるいは電動モータを主に形成される電動アクチュエータにて作動するようになっているものである。
【００１５】
次に、これらメインドア１とサブドア２とを互いに係合させて、この状態を維持するドアロック機構６について説明する。このものは、基本的には操作者の操作によりドアの施錠、あるいは解錠を行なうことができるようになっているものである。なお、このドアロック機構６は別途設けられたアクチュエータ等にて作動するドアロック駆動機構６６（図１参照）にて駆動されるようになっているものである。また、上記メインドア１とサブドア２との係合状態が不完全状態（半閉じ状態）にあるときにおいては、アクチュエータ等の作動により、両ドア１、２間を完全に閉じさせるようにする係合動作補助機構を備えるようにしても良い。
【００１６】
次に、網戸７について説明する。このものは、上記サブドア２と並列に設けられるものであって上記サブドア２と同様、水平方向に操作力を加えることによってスライド移動が可能なようになっているものである。そして、上記サブドア２とは独立して水平方向にスライド運動が可能なように設置されるようになっているものである。また、本網戸７の一端側には、上記メインドア１に設けられた凹部１５と係合する凸部７５、及びシール７６が設けられるようになっているものである。これら構成によって、メインドア１との間においてシール性が確保されることとなる。
【００１７】
更に、上記網戸７には、図３または図４に示す如く、必要に応じて上記サブドア２と連動させることができるように形成された連動機構が設けられるようになっている。これによって、サブドア２と網戸７とを、別々に開閉操作するという煩わしさから解放されることとなる。この連動機構には、サブドア２の開閉運動に完全に連動させるものと、一方向の運動のみに連動させるものとが挙げられる。まず、完全連動のものについて、図３を基に説明する。このものは、網戸７に設けられたピン７１をサブドア２に設けられた凹陥状の係合部２２内に出入させて係合作用を行わせるようになっているものである。すなわち、図３（Ａ）の状態においては、ピン７１がサブドア２の係合部２２とは係合していないので、網戸７はサブドア２の動きに連動しない。また、図３（Ｂ）の状態においては、ピン７１が係合部２２内に差し込まれて係合しているので、網戸７はサブドア２の動きにあわせて一体的にスライド運動（移動）をするようになる。
【００１８】
次に、サブドア２の開き方向へのみ、網戸７を連動させるようにしたものについて、図４を基に説明する。このものは、サブドア２側に設けられたピン７１’が、網戸７に設けられた切欠部７２内に出入するようになっているものである。具体的には、図４（Ａ）に示す如く、ピン７１’が切欠部７２と係合しない状態にある場合には、網戸７はサブドア２の動きとは連動しない。また、図４（Ｂ）に示す如く、ピン７１’が切欠部７２と係合している状態にある場合には、網戸７はサブドア２の開く方向にのみ一体的にスライド運動をする。従って、この場合、サブドア２を閉めたとしても、網戸７は閉まらない。
【００１９】
次に、サブドア２及び網戸７の開閉状態に基づくメインドア１の作動状態、あるいはドアロック機構６の施錠または解錠状態等について、図５を基に説明する。まず、図５（Ａ）に示す如く、サブドア２及び網戸７がともに閉まった状態においては、ドアロック機構６を作動させることにより係合状態を維持して施錠をすることができる。また、図５（Ｂ）の状態においては、網戸７のみが閉まった状態となっているので、この状態においてはドアロック機構６は網戸７との間にてロック状態を維持させるようにする。更に、図５（Ｃ）の状態においては、サブドア２及び網戸７の両方とも開いた状態となっており、この状態時においてのみ、メインドア１の開閉操作ができるようになる。
【００２０】
次に、メインドア駆動機構３、サブドア駆動機構５、及びドアロック駆動機構６６を作動させるシステムについて、図６を基に説明する。本システムはコンピュータ装置等からなるコントロールユニット８を基礎に形成されるようになっているものである。そして、上記各駆動機構は上記コントロールユニット８にて制御されるようになっているものである。具体的には、開閉操作スイッチ８６が操作されることによってドア開の指示が出されると、コントロールユニット８は、まず、ドアロック駆動機構６６を作動させてドアロック機構６を解錠する。次に、サブドア駆動機構５を作動させてサブドア２をスライド移動させる。最後に、メインドア駆動機構３を作動させてメインドア１を回転駆動して本メインドア１を開かせる。一方、ドア閉の場合には、メインドア駆動機構３、サブドア駆動機構５、ドアロック駆動機構６６の順序で作動させる。この場合、メインドア１またはサブドア２の開閉の際に挟込み検出手段８４が作動して、何かを挟んだと検出した場合、あるいは異常検出手段８５が作動してシステム異常を検出した場合には、即座に各部の作動が停止される。なお、これらの各作動は遠隔操作ユニット８９等を介して行わせることができる。
【００２１】
このような構成を採ることにより、本実施の形態のものにおいては次のような作用を呈することとなる。すなわち、本実施の形態のものにおいては、ドア開口部を垂直方向に二分割してその一部をスイング式のメインドア１にて形成させるとともに、残りの部分をスライド式のサブドア２にて形成させるようにしたので、スイングドアの幅を小さく採ることができるようになり、スイングドアであるメインドア１の回転軌跡を小さくすることができるようになる。その結果、開閉に必要なスペースを小さくすることができるようになり、ドア装置周りのスペースを最小化することができるようになる。また、本実施の形態のものにおいては、網戸７を、サブドア２と並列あるいは平行に設けるようにしたので、メインドア１を閉めた状態で、サブドア２を開けて、かつ、網戸７を閉めておくことができるようになり、ドア全体をロックした状態で室内の換気等を行なうことができるようになる。
【００２２】
また、本実施の形態のものにおいては、メインドア１を回転駆動するためのメインドア駆動機構３と、サブドア２をスライド駆動するためのサブドア駆動機構５と、ドアロック機構６の施錠および解錠を行なうドアロック駆動機構６６を設けるようにしたので、メインドア１、サブドア２の開閉の自動化、更にはドアロック機構６の遠隔操作等を行なうことができるようになり、操作性の向上を図ることができるようになる。
【００２３】
次に、本発明にかかる第二の実施形態について、図７を基に説明する。本実施の形態にかかるものの、その特徴とするところは、もう一方のドアであるスライド式のサブドア２を、図７に示す如く、一方のドアであるスイング式のメインドア１内に収納することができるようにしたことである。すなわち、上記第一の実施形態のものにおいてドア開口部周りの壁９１のところに設けられていた収納部をメインドア１内に設けるようにしたことである。具体的には、上記メインドア１は、スイングドア方式からなるものであり、その一端側がヒンジ機構１１を介して壁９１に回転自在なように取付けられるようになっているものである（図７参照）。すなわち、本メインドア１は、上記ヒンジ機構１１を形成する回転中心（Ｏ１）を支点にして、上記壁９１に回転支持されるようになっているものである。このような構成からなるものにおいて、本実施の形態のものにおけるメインドア１は、図７に示す如く、その内部に戸袋状の収納部１９が設けられるようになっているものである。そして、このような収納部１９内には、後に述べるもう一方のドアであるスライド式のサブドア２及び網戸７が収納されるようになっているものである。なお、本メインドア１に関しては、サブドア２収納用の収納部１９が設けられるようになっていること以外は、上記第一の実施の形態のところで述べたものと、本質的に変わるところはない。従って、本実施の形態のものにおいては、上記スイング式のメインドア１を固定した状態のままで、スライド式のサブドア２を開閉操作することができるとともに、このようなサブドア２をメインドア１の収納部１９内に収納させた状態でメインドア１をスイング運動、すなわち、開放させることができるようになっている。また、このようなメインドア１のところには、図１に示す如く、ドアのスイング運動を自動的に行なわせるようにするメインドア駆動機構３が設けられるようになっている。このメインドア駆動機構３は、油圧または空気圧などの流体圧にて作動する流体圧アクチュエータにて、あるいは電動モータを主に形成される電動アクチュエータ等にて作動するようになっているものである。
【００２４】
次に、サブドア２について説明する。このものは、水平方向に操作力を与えることによりスライド運動（移動）が可能なようになっているものである。そして、このようなサブドア２は、スイング式のメインドア１に設けられた収納部１９内に収納されようになっているものである。そして、このようなサブドア２の一方の端部側には壁９１に設けられた凹陥状の係合部９６と係合する凸部２１が設けられるようになっている。なお、このような係合機構を形成する凸部２１及び係合部９６は、本実施の形態のものに限定されるものではなく、サブドア２側に凹部を形成させ、壁９１側に凸部を形成させるようにしても良い。また、このような構成からなるものにおいて、上記サブドア２をスライド駆動することができるサブドア駆動機構５が、当該サブドア２の周りに設けられるようになっていること、及びこのサブドア駆動機構５も、上記メインドア駆動機構３と同様、油圧あるいは空気圧等の流体圧にて作動する流体圧アクチュエータ、あるいは電動モータを主に形成される電動アクチュエータにて作動するようになっていること等については、上記第一の実施の形態のところで述べたものと同じである。更には、これらメインドア１及びサブドア２を所定の状態に係合させて、この状態を維持するドアロック機構６及びドアロック駆動機構６６についても、上記第一の実施の形態のところで述べたものと同じ機能のものが採用されるようになっている。
【００２５】
次に、網戸７について説明する。このものは、上記サブドア２と並列に設けられるものであって上記サブドア２と同様、水平方向に操作力を与えることによってスライド移動が可能なようになっているとともに、上記メインドア１の収納部１９内に収納されるようになっているものである。そして、本網戸７の一端側には、上記壁９１に設けられた凹陥状の係合部９５と係合する凸部７５が設けられるようになっているものである。なお、このような構成からなるものにおいて、その他の機構、例えば連動機構等については、上記第一の実施の形態のところで述べたものと基本的には同じ内容のものが採用されるようになっている。
【００２６】
【発明の効果】
本発明によれば、住宅用ドアに関して、ドア開口部を垂直方向に分割してその一部を閉塞する役目を果たすとともに一端側が回転支持されるスイング式の一方のドアと、上記開口部の残りの部分を閉塞する役目を果たすものであって水平方向にスライド移動可能なように設けられるとともに、上記一方のドアの回転支持側と対向する側の端面と係合可能なように設けられるスライド式のもう一方のドアと、からなるようにした構成を採ることとしたので、ドア装置全体の開口部面積に対して、スイング運動する一方のドアの回転運動軌跡を小さくすることができるようになり、これによって、ドア装置周りにおける必要スペースを小さくすることができようになった。
【００２７】
また、本発明においては、上記もう一方のドアと重なり合う位置に、当該もう一方のドアとは独立して水平方向にスライド運動が可能なように網戸を設けるようにしたので、一方のドアを閉めた状態で、もう一方のドアを開けた状態にて網戸を閉めておくことができるようになり、この状態で室内の換気等を効率よく行なうことができるようになった。
【００２８】
また、本発明においては、上記網戸のスライド運動を必要に応じて上記もう一方のドアのスライド運動に連動させることができるようにしたので、もう一方のドアの開閉に合わせて網戸の開閉も同時に行なわせることができるようになり、ドア開閉の際の操作性の向上を図ることができるようになった。また、本発明においては、上記一方のドアを回転駆動するための一方側のドア駆動機構、上記もう一方のドアをスライド駆動するためのもう一方側のドア駆動機構、及び上記ドアロック機構の施錠および解錠を行なうためのドアロック駆動機構を設けるようにしたので、ドアの開閉を自動化することができるようになるとともに、ドアロック機構の施錠及び解錠等を遠隔操作にて行なうことができるようになった。
【００２９】
また、本発明においては、住宅用ドアに関して、一端側が回転支持されるスイング式の一方のドア内に、スライド式のもう一方のドアを収納させるようにした構成を採ることとしたので、スイング式ドアを閉じた状態の固定した状態のままで、スライド式のもう一方のドアを開放させることができるようになり、このような状態で玄関口等からの人の出入等が可能なようになった。また、スライド式のもう一方のドアを収納するための戸袋機構等を、開口部周りの壁部等に設ける必要が無くなり、ドア開口部周りの壁部等に、余分なスペースを確保する必要がなくなった。これらによって、本ドア取付部周りにおける構造が簡略化され、ドア取付部周りの製造コストの低減化を図ることができるようになった。
【図面の簡単な説明】
【図１】本発明の全体構成を示す外観図である。
【図２】本発明におけるメインドア、サブドアの作動範囲を示す説明図である。
【図３】本発明におけるサブドア、網戸の連動状態を示す図である。
【図４】本発明におけるサブドア、網戸の連動態様についての他の形態を示す図である。
【図５】本発明のサブドア、網戸をスライドさせた状態を示す図である。
【図６】本発明の各駆動機構を駆動するためのシステムを示すブロック図である。
【図７】本発明に係る第二の実施形態についての全体構成を示す外観図である。
【符号の説明】
１  一方のドア（メインドア）
１１  ヒンジ機構
１２  窓
１５  凹部
１９  収納部
２  もう一方のドア（サブドア）
２１  凸部
２２  係合部
２３  シール
３  メインドア駆動機構
５  サブドア駆動機構
６  ロック機構
６６  ドアロック駆動機構
７  網戸
７１  ピン
７１’  ピン
７２  切欠部
７５  凸部
７６  シール
８  コントロールユニット
８４  挟み込み検出手段
８５  異常検出手段
８６  開閉操作スイッチ
８７  遠隔操作信号受信装置
８９  遠隔操作ユニット
９  住宅
９１  壁
９２  収納部
９５  係合部
９６  係合部
【図１】
2004332444.tif 000003
【図２】
2004332444.tif 000004
【図３】
2004332444.tif 000005
【図４】
2004332444.tif 000006
【図５】
2004332444.tif 000007
【図６】
2004332444.tif 000008
【図７】
2004332444.tif 000009